(57)【要約】      （修正有）【課題】ディスクダンパーの固定性、空気ダンピング効果、外部衝撃時の安定性、組立て性を向上するとともに、製造コストを低減すること。【解決手段】ハードディスクドライブに設置されたディスクの振動を減らすために、ディスク面とエアーギャップを有するように離隔される少なくとも一つのディスクダンパーであって、ディスクの外周側に位置し、ディスクダンパーをフレーム１０１に固定させるエッジ部２２０と、エッジ部２２０からディスクの内周側に延び、エアーギャップを形成する延長部２１０と、を備え、エッジ部２２０及び延長部２１０は、相異なる材質で設けられる。【選択図】図６
2007335072.tif 000002
【特許請求の範囲】
【請求項１】
ハードディスクドライブに設置されたディスクの振動を減らすために、前記ディスク面とエアーギャップを有するように離隔される少なくとも一つのディスクダンパーであって、
前記ディスクの外周側に位置し、前記ディスクダンパーをフレームに固定させるエッジ部と、
前記エッジ部から前記ディスクの内周側に延び、前記エアーギャップを形成する延長部と、を備え、
前記エッジ部及び延長部は、相異なる材質で設けられることを特徴とするディスクダンパー。
【請求項２】
前記延長部は、金属性材質で設けられ、
前記エッジ部は、合成樹脂材質で設けられることを特徴とする請求項１に記載のディスクダンパー。
【請求項３】
前記エッジ部は、
前記ディスクダンパーを前記フレームに固定させる固定部と、複数に設けられる前記ディスクダンパー間の間隔を維持するスペーサと、を備えることを特徴とする請求項２に記載のディスクダンパー。
【請求項４】
前記延長部及びエッジ部は、インサート射出成形によって一体に設けられることを特徴とする請求項２又は３に記載のディスクダンパー。
【請求項５】
別個に設けられた前記延長部及びエッジ部を相互締結させる締結部材をさらに備えることを特徴とする請求項２又は３に記載のディスクダンパー。
【請求項６】
前記締結部材は、
前記延長部及びエッジ部にそれぞれ設けられ、相互挿入される突出部及び挿入部を備えることを特徴とする請求項５に記載のディスクダンパー。
【請求項７】
外部衝撃による前記ディスクの弾性変形時に、前記ディスクのエッジ部分が接触されるように前記エッジ部に設けられる衝撃吸収部をさらに備えることを特徴とする請求項１〜６のいずれかに記載のディスクダンパー。
【請求項８】
前記延長部の断面は、
前記エッジ部から前記ディスクの内周側に延びた棒形状であることを特徴とする請求項１〜７のいずれかに記載のディスクダンパー。
【請求項９】
フレームと、前記フレームに設けられたスピンドルモータに装着された少なくとも一つのデータ保存用ディスクと、前記データを読み取り／書込みするヘッドを作動させるアクチュエータと、前記ディスクの振動を低減させるために、前記ディスク面とエアーギャップを有するように離隔される少なくとも一つのディスクダンパーと、を備えるハードディスクドライブにおいて、
前記ディスクダンパーは、
前記ディスクの外周側に位置し、前記ディスクダンパーを前記フレームに固定させるエッジ部と、
前記エッジ部から前記ディスクの内周側に延び、前記エアーギャップを形成する延長部と、を備え、
前記エッジ部及び延長部は、相異なる材質で設けられることを特徴とするハードディスクドライブ。
【請求項１０】
前記延長部は、金属性材質で設けられ、
前記エッジ部は、合成樹脂材質で設けられることを特徴とする請求項９に記載のハードディスクドライブ。
【請求項１１】
前記エッジ部は、
前記ディスクダンパーを前記フレームに固定させる固定部と、複数に設けられる前記ディスクダンパー間の間隔を維持するスペーサと、を備えることを特徴とする請求項１０に記載のハードディスクドライブ。
【請求項１２】
前記延長部及びエッジ部は、
インサート射出成形によって一体に設けられるか、または別個に設けられた状態で締結部材によって相互締結されることを特徴とする請求項１０に記載のハードディスクドライブ。
【請求項１３】
外部衝撃による前記ディスクの弾性変形時に、前記ディスクのエッジ部分が接触されるように前記エッジ部に設けられる衝撃吸収部をさらに備えることを特徴とする請求項９〜１２のいずれかに記載のハードディスクドライブ。
【請求項１４】
ハードディスクドライブに設置されたディスクの振動を低減させるために、前記ディスク面とエアーギャップを有するように離隔される少なくとも一つのディスクダンパーの製造方法において、
前記ディスクの外周側に位置し、前記ディスクダンパーをフレームに固定させるエッジ部と、前記エッジ部から前記ディスクの内周側に延び、前記エアーギャップを形成する延長部と、を相異なる材質で形成することを特徴とするディスクダンパーの製造方法。
【請求項１５】
前記延長部は、金属性材質で設けられ、
前記エッジ部は、合成樹脂材質で設けられることを特徴とする請求項１４に記載のディスクダンパーの製造方法。
【請求項１６】
前記延長部及びエッジ部は、インサート射出成形方法によって一体に設けられることを特徴とする請求項１５に記載のディスクダンパーの製造方法。
【請求項１７】
前記延長部及びエッジ部は、別個に設けられ、締結部材によって相互締結されることを特徴とする請求項１５に記載のディスクダンパーの製造方法。
【発明の詳細な説明】
【技術分野】
【０００１】
本発明は、ディスクダンパー、ハードディスクドライブ及びディスクダンパーの製造方法に関し、さらに詳細には、ディスクの振動を低減させるディスクダンパー、ハードディスクドライブ及びディスクダンパーの製造方法に関する。
【背景技術】
【０００２】
コンピュータの情報記録装置のうち一つであるハードディスクドライブ（ＨＤＤ：Ｈａｒｄ Ｄｉｓｋ Ｄｒｉｖｅ）は、読み取り／書き込みヘッド（リード／ライトヘッド）を使用して、ディスクに／からデータを記録／再生する装置である。このようなＨＤＤにおいて、ヘッドは、回転するディスクの記録面から所定高さに浮き上がった状態でアクチュエータによって所望の位置に移動しつつ、その機能を行う。
【０００３】
このようなＨＤＤは、スピンドルモータと、スピンドルモータに装着された少なくとも一つのデータ記録用ディスクと、データの再生及び記録のための読み取り／書き込みヘッドをディスク上の所定位置に移動させるためのアクチュエータと、を備えている。
【０００４】
一方、このような構成を有するＨＤＤにおいては、スピンドルモータの部品欠陥、ディスクの偏心組立て、ＨＤＤ内の不規則な空気流動等によって、回転するディスクに振動が発生する。記録容量及び記録密度（ＴＰＩ：Ｔｒａｃｋ Ｐｅｒ Ｉｎｃｈ）の上昇によってディスク記録面のトラック位置を正確に追従しうるアクチュエータサーボ制御の高い精密度が要求される。しかし、高速回転されるディスクの外周部分に無視できない空気流動が発生することによって、制御精密度に悪影響が招来される。すなわち、空気流動による振動によってＰＥＳ（Ｐｏｓｉｔｉｏｎ Ｅｒｒｏｒ Ｓｉｇｎａｌ）及びＴＭＲ（Ｔｒａｃｋ Ｍｉｓ−Ｒｅｇｉｓｔｒａｔｉｏｎ）が増加しつつ、読み取り／書き込みヘッド及びＨＤＤのデータ記録及び再生能力が低下する。
【０００５】
空気流動による前記問題点を改善するために、ディスクの間に薄い板状のディスクダンパーを設置する方案が提案されている。ディスクダンパーは、ディスクとディスクとの間に挟み込まれて、ディスクの外周から発生する空気力学的動圧力を減少させる役割を行う。
【０００６】
図１は、従来のディスクダンパーを備えたＨＤＤの主要部分を示す斜視図であり、図２は、図１に示されたディスク及びディスクダンパーの側断面図である。
【０００７】
図１及び図２を共に参照すれば、ＨＤＤのフレーム１０上に設置されたスピンドルモータ２０に複数のディスク３１,３２が装着されており、このディスク３１,３２の間にディスクダンパー４０が設置されている。このようにディスク３１,３２の間にディスクダンパー４０を設置すれば、ディスク３１,３２の間の空いている空間が狭くなり、ディスク３１,３２とディスクダンパー４０との間にエアーギャップＧが形成され、前記エアーギャップＧで圧縮された空気のダンピング効果によってディスク３１,３２の振動が低減する。
【０００８】
ディスクダンパーの厚さを厚くしてエアーギャップＧを減らす一方、ディスクダンパーの長さを延ばしてディスクの内周方向に長く延長するほど、空気ダンピング効果が向上する。このとき、ディスクダンパーは、カンチレバー状態（片持ち状態）に支持される。すなわち、ディスクダンパーは、ディスクの外周方向の一端部が固定端となり、ディスクの内周方向の他端部が自由端状態になる。
【０００９】
【特許文献１】大韓民国特許公開１０−２００６−０００２６６７号公報
【特許文献２】大韓民国特許公開１０−２００６−０００３１７４号公報
【特許文献３】特開２０００−３２２８７１号公報
【特許文献４】米国特許出願公開第２００４／０１５６１４１号明細書
【発明の開示】
【発明が解決しようとする課題】
【００１０】
しかしながら、ディスクダンパーの長さが長くなるほど、前記自由端の反りが増加するので、外部衝撃時にディスク及びディスクダンパーの接触によってディスクの記録面が損傷しやすい。高い剛性を有する金属材質でディスクダンパーを製作すれば、前記固定端の固定力を増大させ、前記自由端の反りを減少させうるが、所望の形状に金属を加工するためのコストが上昇する。そして、外部衝撃時にディスク及びディスクダンパーが金属材質同士で接触される状態であるので、ディスクの記録面が容易に引っ掻かれるという問題点がある。
【００１１】
もし、ディスクダンパーが剛性の小さい材質で設けられれば、ディスク及びディスクダンパーが接触されてもスクラッチの発生頻度が減少し、ディスクダンパーの製造コストを減らせるが、ディスクダンパーの長さや厚さを増やせないので、空気ダンピング効果が低下するという問題点がある。
【００１２】
最近には、記録容量の増加によって数枚のディスクが装着される趨勢なので、空気流動による影響も大きくなるので、ディスクダンパーの枚数、長さ、厚さなどを増やすことによって、空気ダンピング効果を向上させねばならない。このとき、複数で装着されるディスクダンパー間の設置間隔を調節するためにスペーサが設けられる。別途の部品でスペーサを設け、これをディスクダンパーと組立てることより、ディスクダンパー自体にスペーサ部分を設けることによって、組立て性を向上させうる手段が必要である。
【００１３】
そこで、本発明は、上記問題に鑑みてなされたものであり、本発明の目的とするところは、ディスクダンパーの固定性、空気ダンピング効果、外部衝撃時の安定性、組立て性を向上するとともに、製造コストを低減することが可能な、新規かつ改良されたディスクダンパー、ハードディスクドライブ及びディスクダンパーの製造方法を提供することにある。
【課題を解決するための手段】
【００１４】
上記課題を解決するために、本発明のある観点によれば、ハードディスクドライブに設置されたディスクの振動を減らすために、前記ディスク面とエアーギャップを有するように離隔される少なくとも一つのディスクダンパーであって、前記ディスクの外周側に位置し、前記ディスクダンパーをフレームに固定させるエッジ部と、前記エッジ部から前記ディスクの内周側に延び、前記エアーギャップを形成する延長部と、を備え、前記エッジ部及び延長部は、相異なる材質で設けられるディスクダンパーが提供される。
【００１５】
また、前記延長部は、金属性材質で設けられ、前記エッジ部は、合成樹脂材質で設けられるものであってもよい。
【００１６】
また、前記エッジ部は、前記ディスクダンパーを前記フレームに固定させる固定部と、複数に設けられる前記ディスクダンパー間の間隔を維持するスペーサと、を備えるものであってもよい。
【００１７】
また、前記延長部及びエッジ部は、インサート射出成形によって一体に設けられるものであってもよい。
【００１８】
また、別個に設けられた前記延長部及びエッジ部を相互締結させる締結部材をさらに備えるものであってもよい。
【００１９】
また、前記締結部材は、前記延長部及びエッジ部にそれぞれ設けられ、相互挿入される突出部及び挿入部を備えるものであってもよい。
【００２０】
また、外部衝撃による前記ディスクの弾性変形時に、前記ディスクのエッジ部分が接触されるように前記エッジ部に設けられる衝撃吸収部をさらに備えるものであってもよい。
【００２１】
また、前記延長部の断面は、前記エッジ部から前記ディスクの内周側に延びた棒形状でってもよい。
【００２２】
また、上記課題を解決するために、本発明の別の観点によれば、フレームと、前記フレームに設けられたスピンドルモータに装着された少なくとも一つのデータ保存用ディスクと、前記データを読み取り／書込みするヘッドを作動させるアクチュエータと、前記ディスクの振動を低減させるために、前記ディスク面とエアーギャップを有するように離隔される少なくとも一つのディスクダンパーと、を備えるハードディスクドライブにおいて、前記ディスクダンパーは、前記ディスクの外周側に位置し、前記ディスクダンパーを前記フレームに固定させるエッジ部と、前記エッジ部から前記ディスクの内周側に延び、前記エアーギャップを形成する延長部と、を備え、前記エッジ部及び延長部は、相異なる材質で設けられるものであってもよい。
【００２３】
また、前記延長部は、金属性材質で設けられ、前記エッジ部は、合成樹脂材質で設けられるものであってもよい。
【００２４】
また、前記エッジ部は、前記ディスクダンパーを前記フレームに固定させる固定部と、複数に設けられる前記ディスクダンパー間の間隔を維持するスペーサと、を備えるものであってもよい。
【００２５】
また、前記延長部及びエッジ部は、インサート射出成形によって一体に設けられるか、または別個に設けられた状態で締結部材によって相互締結されるものであってもよい。
【００２６】
また、外部衝撃による前記ディスクの弾性変形時に、前記ディスクのエッジ部分が接触されるように前記エッジ部に設けられる衝撃吸収部をさらに備えるものであってもよい。
【００２７】
また、上記課題を解決するために、本発明の別の観点によれば、ハードディスクドライブに設置されたディスクの振動を低減させるために、前記ディスク面とエアーギャップを有するように離隔される少なくとも一つのディスクダンパーの製造方法において、前記ディスクの外周側に位置し、前記ディスクダンパーをフレームに固定させるエッジ部と、前記エッジ部から前記ディスクの内周側に延び、前記エアーギャップを形成する延長部と、を相異なる材質で形成するディスクダンパーの製造方法が提供される。
【００２８】
また、前記延長部は、金属性材質で設けられ、前記エッジ部は、合成樹脂材質で設けられるものであってもよい。
【００２９】
また、前記延長部及びエッジ部は、インサート射出成形方法によって一体に設けられるものであってもよい。
【００３０】
また、前記延長部及びエッジ部は、別個に設けられ、締結部材によって相互締結されるものであってもよい。
【発明の効果】
【００３１】
本発明によれば、ディスクダンパーの固定性、空気ダンピング効果、外部衝撃時の安定性、組立て性を向上するとともに、製造コストを低減することが可能となる。これにより、ディスク及びＨＳＡの振動が減少するので、エラー処理時間が短縮され、ＨＤＤのデータ処理の速度及び信頼性が向上し、ＰＥＳ(Position Error Signal)特性を向上させることができる。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
図３は、本発明の望ましい実施形態によるＨＤＤの分解斜視図である。図３を参照すれば、本発明のＨＤＤは、フレーム１０１を備え、フレーム１０１内に複数（例えば、３枚）のディスク１１０,１１１,１１２と、スピンドルモータ１２０と、ヘッドスタック構造体（ＨＳＡ：Ｈｅａｄ Ｓｔａｃｋ Ａｓｓｅｍｂｌｙ）１３０と、ボイスコイルモータ（ＶＣＭ：Ｖｏｉｃｅ Ｃｏｉｌ Ｍｏｔｏｒ）１３８及び少なくとも一つのディスクダンパー１５０とを備える。
【００３４】
フレーム１０１は、前記スピンドルモータ１２０とＨＳＡ １３０とを支持し、ステンレススチールまたはアルミニウム材質で製作される。フレーム１０１の内部には、ディスク１１０,１１１,１１２が回転自在に設置される。ディスクの枚数は、１枚または２枚でもよい。
【００３５】
スピンドルモータ１２０は、複数のディスク１１０,１１１,１１２を回転させるためのものであって、フレーム１０１に固設される。複数のディスク１１０,１１１,１１２の間には、ディスク１１０,１１１,１１２間の間隔を維持するためのリング状のディスクスペーサ１２２が挟み込まれ、スピンドルモータ１２０の上端部には、ディスク１１０,１１１,１１２の離脱を防止するためのディスククランプ１２５が結合される。
【００３６】
ＨＳＡ １３０は、ディスク１１０,１１１,１１２に／からデータを記録／再生するための装置であって、フレーム１０１上に回動自在に設置される。ＨＳＡ １３０は、ピボット軸受１３７を中心に回動自在に結合されたスイングアーム１３２と、スイングアーム１３２の先端部に結合された第１、第２、第３、第４サスペンション１３３ａ,１３３ｂ,１３３ｃ,１３３ｄと、各サスペンション１３３ａ,１３３ｂ,１３３ｃ,１３３ｄに支持されて回転するディスク１１０,１１１,１１２面と対向する第１、第２、第３、第４スライダー１３５ａ,１３５ｂ,１３５ｃ,１３５ｄとを備える。各スライダー１３５ａ,１３５ｂ,１３５ｃ,１３５ｄには、データの記録及び再生のための第１、第２、第３、第４磁気ヘッド１３６ａ,１３６ｂ,１３６ｃ,１３６ｄが設けられる。
【００３７】
ＶＣＭ １３８は、ＨＳＡ １３０を駆動するための回動力を提供するものであって、サーボ制御システムによって制御される。ＨＳＡ １３０の後端部のＶＣＭ １３８のＶＣＭコイル（図示せず）に入力される電流とマグネット（図示せず）によって形成された磁場との相互作用によって、フレミングの左手法則による方向にＨＳＡ １３０が回転される。サスペンション１３３ａ,１３３ｂ,１３３ｃ,１３３ｄの先端に付着された４個のスライダー１３５ａ,１３５ｂ,１３５ｃ,１３５ｄが、複数のディスク１１０,１１１,１１２上でディスク１１０,１１１,１１２の内周及び外周方向に往復する。
【００３８】
ディスク１１０,１１１,１１２の外周側には、ＨＤＤの内部で流動する空気に含まれている異質をフィルタリングするための循環フィルタ１４０が設けられる。フレーム１０１上でＨＳＡ １３０に隣接した一側のコーナ部分には、ＨＳＡ １３０に連結されたＦＰＣ（Ｆｌｅｘｉｂｌｅ Ｐｒｉｎｔｅｄ Ｃｉｒｃｕｉｔ）１４２をフレーム１０１の下側に配置されたメイン回路基板（図示せず）に接続させるためのＦＰＣブラケット１４３が設けられる。
【００３９】
ディスクダンパー１５０は、ディスク１１０,１１１,１１２の回転時に発生する振動とノイズとを抑制し、外部衝撃時にディスク１１０,１１１,１１２の記録面のスクラッチの発生を抑制するためのものである。ディスクダンパー１５０は、ディスク１１０,１１１,１１２の間に介在され、ディスク１１０,１１１,１１２と接触しないように一定間隔をおいて離隔されてエアーギャップＧを形成する。ディスクダンパー１５０は、フレーム１０１に設けられた第１、第２、第３支持部１０２,１０３,１０４に固定される。ディスクダンパー１５０は、ＨＳＡ
１３０の動きを妨害しないようにＨＳＡ １３０を回避して配置され、開口されたリング状であって、アルファベット‘Ｃ’形状を有する。
【００４０】
図４は、本発明のディスクダンパーの一実施形態を示す分解斜視図である。図５は、本発明のディスクダンパーの一実施形態を示す組立て斜視図である。図６は、本発明のディスクダンパーを備えたＨＤＤの側断面図である。図４ないし図６を共に参照して、ディスクダンパーの構成及び作用を詳細に説明する。
【００４１】
ディスクダンパー１５０は、エッジ部２２０と延長部２１０とを備える。エッジ部２２０は、ディスク１１０,１１１,１１２の外周側に位置する。エッジ部２２０は、ディスクダンパー１５０をフレーム１０１に固定させる固定部２２８と、複数で設けられるディスクダンパー１５０間の間隔を維持するスペーサ２２６とを備える。延長部２１０は、エッジ部２２０からディスク１１０,１１１,１１２の内周側に延び、エアーギャップＧを形成する。延長部２１０の断面は、エッジ部２２０からディスク１１０,１１１,１１２の内周側に延びた棒形状であり、延長部２１０は、ディスク１１０,１１１,１１２の表面に最大限近接することがエアーギャップＧによる空気ダンピング力の形成に有利である。
【００４２】
延長部２１０は、その断面が棒形状であり、エッジ部２２０は、固定部２２８及びスペーサ２２６を備えるので、エッジ部２２０は、延長部２１０より複雑な形状を有する。前述したように、延長部２１０の一端部は、エッジ部２２０によって支持される固定端であり、他端部は、ディスク１１０,１１１,１１２の内周側に位置する自由端であるので、空気ダンピング力の確保のために延長部２１０の長さ及び厚さを増やし、外部衝撃時に前記自由端の反りによるディスク記録面の破損を防止するためには、ディスクダンパー１５０は、剛性のよい金属材質で設けられることが望ましい。
【００４３】
エッジ部２２０及び延長部２１０は、異なる材質で設けられる。すなわち、空気ダンピング力の増加のために長さ及び厚さの増大と、反り防止のために剛性の増大とが要求され、単純な断面形状を有する延長部２１０のみ、アルミニウムやその合金の金属材質で設けられることが望ましい。全体を金属材質で設けることより、固定部２２８及びスペーサ２２６が備えられて複雑な形状を有するエッジ部２２０のみ、合成樹脂材質で射出成形することが製作コスト及び工数の低減に有利である。
【００４４】
ディスクダンパー１５０の製造方法において、延長部２１０及びエッジ部２２０を一体に成形する方法と、別個の部品で製作した後に締結部材によって相互締結する方法とを考えられる。
【００４５】
一実施形態では、エッジ部２２０の金型内に金属材質の延長部２１０を挿入した状態で合成樹脂を射出することによってディスクダンパー１５０を製造する。すなわち、延長部２１０及びエッジ部２２０は、インサート射出によって一体に設けられることが望ましい。
【００４６】
一方、延長部２１０及びエッジ部２２０を締結部材で締結する場合に、締結部材の実施形態であって、ボルトやボンドはもとより、延長部２１０及びエッジ部２２０にそれぞれ設けられて相互挿入される突出部２１４及び挿入部２２４が挙げられる。
【００４７】
一般的に、ディスク１１０,１１１,１１２の外周方向のエッジは、データが記録されていない非記録面となる。また、ディスク１１０,１１１,１１２に外部衝撃力が作用する時に、ディスク１１０,１１１,１１２の反りは、前記エッジ部分で最大である。したがって、ディスク１１０,１１１,１１２の外周のエッジ部分に粘弾性材質の衝撃吸収部２２２が備えられることが望ましい。
【００４８】
衝撃吸収部２２２は、ディスク１１０,１１１,１１２の正常作動時にエアーギャップＧの機能を行い、外部衝撃によるディスク１１０,１１１,１１２の弾性変形時に記録面に先立って衝撃吸収部２２２及び非記録面が接触されることによって、記録面の破損を防止しうる。本発明において、エッジ部２２０は、合成樹脂材質であるので、複雑な形状への製造に有利であることはもとより、衝撃をよく吸収する粘弾性を有する。衝撃吸収部２２２は、合成樹脂材質の長所である成形の容易性と粘弾性とを同時に獲得できるようにエッジ部２２０に設けられることが望ましい。
【００４９】
図７は、本発明のディスクダンパー１５０の振動低減効果を示すグラフである。水平軸は、振動周波数をＨｚ単位で表し、垂直軸は、振動量に比例するＰＥＳ量を百分率で表す。点線は、ディスクダンパー１５０が設置されていない場合に、ディスク１１０,１１１,１１２のＰＥＳ量を周波数分析した結果である。実線は、ディスクダンパー１５０が設置された場合に、ディスク１１０,１１１,１１２のＰＥＳ量を周波数分析した結果である。ディスクダンパー１５０の設置によって、ＰＥＳのピーク値が顕著に減少することが見られる。
【００５０】
本発明は、図面に示した実施形態を参照して説明されたが、それは、例示的なものに過ぎず、本発明は係る例に限定されないことは言うまでもない。当業者ならば、これから多様な変形及び均等な他の実施形態が可能であるということが分かるであろう。従って、本発明の真の技術的保護範囲は、特許請求の範囲の技術的思想によって決定されねばならない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５１】
本発明は、ハードディスク関連の技術分野に広く適用可能である。
【図面の簡単な説明】
【００５２】
【図１】従来のディスクダンパーを備えたＨＤＤの主要部分を示す斜視図である。
【図２】図１に示されたディスク及びディスクダンパーの側断面図である。
【図３】本発明のディスクダンパーを備えたＨＤＤの分解斜視図である。
【図４】本発明のディスクダンパーの一実施形態を示す分解斜視図である。
【図５】本発明のディスクダンパーの一実施形態を示す組立て斜視図である。
【図６】本発明のディスクダンパーを備えたＨＤＤの側断面図である。
【図７】本発明のディスクダンパーの振動低減効果を示すグラフである。
【符号の説明】
【００５３】
１０１    フレーム
１０２,１０３,１０４    支持部
１１０,１１１,１１２    ディスク
１２０    スピンドルモータ
１２２    ディスクスペーサ
１２５    ディスククランプ
１３０    ＨＳＡ
１３２    スイングアーム
１３３ａ,１３３ｂ,１３３ｃ,１３３ｄ    サスペンション
１３５ａ,１３５ｂ,１３５ｃ,１３５ｄ    スライダー
１３６ａ,１３６ｂ,１３６ｃ,１３６ｄ    磁気ヘッド
１３７    ピボット軸受
１３８    ＶＣＭ
１４０    循環フィルタ
１４２    ＦＰＣ
１４３    ＦＰＣブラケット
１５０    ディスクダンパー
【図１】
2007335072.tif 000003
【図２】
2007335072.tif 000004
【図３】
2007335072.tif 000005
【図４】
2007335072.tif 000006
【図５】
2007335072.tif 000007
【図６】
2007335072.tif 000008
【図７】
2007335072.tif 000009